(57)【要約】【課題】目視による判別が極めて困難で偽造防止効果が大な光回折構造による隠しパターンを内包する表示体及びそのための判別具。【解決手段】光回折構造を含む表示体の表示面２を、相互に隣接していて平行で、回折特性の異なる第１直線縞６１  と、第２直線縞６２  の縞対６と、それら直線縞６１  、６２  を構成する直線回折格子との二重構造で構成し、隠しパターン“Ｈ”を構成する領域１１２  とそれ以外の領域１１１  では直線回折格子の構成は同じで、縞対６の構成を異なるものとすることにより、目視状態では直線回折格子の領域毎の構成の違いによって通常の表示パターンが観察でき、隠しパターンは判別困難であるが、縞対６とモアレ現象を生じる判別具を重ね合わせることで、今度は通常の表示パターンではなく隠しパターンが判別可能となる。【選択図】        図３
2004212927.tif 000002
【特許請求の範囲】
【請求項１】
光回折構造を含む表示体であって、その表示面は、回折特性が異なり、表示パターンに応じた任意の外形及び内形を持つ複数のパターン領域が並列配置されてなり、各パターン領域は、相互に隣接していて平行で、回折特性の異なる第１直線縞と第２直線縞の縞対の繰り返しにより埋めつくされてなり、前記第１直線縞は第１直線回折格子によって、また、前記第２直線縞は第２直線回折格子によってそれぞれ構成されており、前記表示面に対して設定された基準線に対して、前記第１直線縞と第２直線縞の傾き角を縞対の傾き角α、前記第１直線回折格子の傾き角を第１直線回折格子の傾き角β１  、前記第２直線回折格子の傾き角を第２直線回折格子の傾き角β２  とするとき、前記複数のパターン領域の中の少なくとも１つの隠しパターンを構成するパターン領域の縞対の傾き角αは、それ以外のパターン領域の縞対の傾き角αとは異なるように設定されており、かつ、隠しパターンを構成するパターン領域の第１直線回折格子の傾き角β１  と第２直線回折格子の傾き角β２  とは、そのパターン領域に隣接する隠しパターンを構成するパターン領域以外のパターン領域の第１直線回折格子の傾き角β１  と第２直線回折格子の傾き角β２  とにそれぞれ等しく設定されていることを特徴とする光回折構造による隠しパターンを内包する表示体。
【請求項２】
隠しパターンを構成するパターン領域が孤立した１つ以上のパターン領域からなり、その隠しパターンを構成するパターン領域の第１直線回折格子の傾き角β１  と第２直線回折格子の傾き角β２  とは、それ以外のパターン領域の第１直線回折格子の傾き角β１  と第２直線回折格子の傾き角β２  とにそれぞれ等しく設定されていることを特徴とする請求項１記載の光回折構造による隠しパターンを内包する表示体。
【請求項３】
隠しパターンを構成するパターン領域が相互に隣接する複数のパターン領域を含み、前記隠しパターンを構成する相互に隣接する複数のパターン領域の縞対の傾き角αは同じに設定されていて、前記隠しパターンを構成する相互に隣接する複数のパターン領域に隣接するそれ以外のパターン領域の縞対の傾き角αとは異なるように設定されており、かつ、前記隠しパターンを構成する相互に隣接する複数のパターン領域のそれぞれのパターン領域の第１直線回折格子の傾き角β１  と第２直線回折格子の傾き角β２  とは、そのパターン領域に隣接する前記隠しパターンを構成する相互に隣接する複数のパターン領域以外のパターン領域の第１直線回折格子の傾き角β１  と第２直線回折格子の傾き角β２  とにそれぞれ等しく設定されていることを特徴とする請求項１記載の光回折構造による隠しパターンを内包する表示体。
【請求項４】
相互に隣接して並列配置された複数のパターン領域各々における前記第１直線回折格子と前記第２直線回折格子とは、傾き角が異なるか格子ピッチが異なるかの少なくとも一方を満たすように設定されていることを特徴とする請求項１から３の何れか１項記載の光回折構造による隠しパターンを内包する表示体。
【請求項５】
相互に隣接して並列配置された複数のパターン領域各々における前記縞対の繰り返しピッチをｄとするとき、ｄ≦１／５ｍｍに設定されていることを特徴とする請求項１から４の何れか１項記載の光回折構造による隠しパターンを内包する表示体。
【請求項６】
隠しパターンを構成するパターン領域の前記縞対の傾き角αとそれ以外のパターン領域の縞対の傾き角αとの差が９０°±１０°の範囲内に設定されていることを特徴とする請求項１から５の何れか１項記載の光回折構造による隠しパターンを内包する表示体。
【請求項７】
前記少なくとも１つの隠しパターンを構成するパターン領域は、そのパターン領域を構成する前記縞対の周期に対して半周期ずれた周期の縞対で縁取りされていることを特徴とする請求項１から６の何れか１項記載の光回折構造による隠しパターンを内包する表示体。
【請求項８】
前記第１直線回折格子と前記第２直線回折格子とは、反射型回折格子からなることを特徴とする請求項１から７の何れか１項記載の光回折構造による隠しパターンを内包する表示体。
【請求項９】
転写箔形態に構成されていることを特徴とする請求項１から８の何れか１項記載の光回折構造による隠しパターンを内包する表示体。
【請求項１０】
ラベル形態に構成されていることを特徴とする請求項１から８の何れか１項記載の光回折構造による隠しパターンを内包する表示体。
【請求項１１】
フィルム形態に構成されていることを特徴とする請求項１から８の何れか１項記載の光回折構造による隠しパターンを内包する表示体。
【請求項１２】
請求項１〜１１の何れか１項記載の光回折構造による隠しパターンを内包する表示体のための判別具であって、平行な直線透明部と直線不透明部との繰り返しパターンであって、前記表示体の前記複数のパターン領域の中の少なくとも１つの隠しパターンを構成するパターン領域の縞対と同じ傾き角と同じ繰り返しピッチを有するパターンを有することを特徴とする光回折構造による隠しパターンを内包する表示体のための判別具。
【請求項１３】
前記直線透明部の幅が前記直線不透明部の幅より小さく設定されていることを特徴とする請求項１２記載の光回折構造による隠しパターンを内包する表示体のための判別具。
【発明の詳細な説明】
【０００１】
【発明の属する技術分野】
本発明は、光回折構造による隠しパターン及びそのための判別具に関し、特に、通常の視認状態では判別が困難な光回折構造による隠しパターン及びそのための判別具に関するものである。
【０００２】
【従来の技術】
近年、カラーコピー機による高額紙幣や商品券の偽造事件が頻発している。そのために、高額紙幣や商品券は、デザインの一部にカラーコピー機のセンサーでは読み取ることができない小さな網点や細線を、同じ反射濃度でデザインされた絵柄の中に組み込んでいる。その結果、これらの高額紙幣や商品券をカラーコピー機によって複写しようとすると、コピー機のスキャナーが小さな網点や細線を読み落とし、その部分が白く抜けることでコピー品であると判別している。
【０００３】
また、印刷物のデザインの一部に光り輝く金属部分を設けることによりコピー品を判別する方法も実施されている。
【０００４】
このような金属部分は、入射光を１００％反射するためにコピー機はこの部分を黒に再現する。実施例として、例えば、紙の表層に金糸を縫い付け、コピー牽制を行っている。
【０００５】
その他、透明な樹脂で複製した光回折構造体の凹凸面に金属蒸着処理をして、印刷エリアの一部に熱転写し、複写機によるコピーを牽制している。この光回折構造体は、金属表面の反射効果でコピーによる不正を牽制しようとする一方で、熱転写された印刷物あるいは製品そのものの偽造を防止する手段として利用されている。光回折構造体は、高度な製造技術を必要とするために、金券類等の偽造防止手段としてしばしば使用される。
【０００６】
しかし、製造技術の向上によって、一見して本物に近い光回折構造体を製造することができるようになってきた。
【０００７】
このような偽造品をチェックするために、光回折構造体の中に判別困難な隠しパターンを組み込んで真偽判別の手段として使用する技術が提案されているが、見る角度によって隠しパターンが微かに判別されてしまうという問題があり、また、隠しパターンを形成した部分に他の絵柄が形成されていないために、隠しパターンがあり得ると推測される結果になり、偽造防止効果を低減させる問題があった。
【０００８】
【発明が解決しょうとする課題】
本発明は従来技術のこのような問題にに鑑みてなされたものであり、その目的は、目視による判別が極めて困難で偽造防止効果が大な光回折構造による隠しパターンを内包する表示体及びそのための判別具を提供することである。
【０００９】
【課題を解決するための手段】
上記目的を達成する本発明の光回折構造による隠しパターンを内包する表示体は、光回折構造を含む表示体であって、その表示面は、回折特性が異なり、表示パターンに応じた任意の外形及び内形を持つ複数のパターン領域が並列配置されてなり、各パターン領域は、相互に隣接していて平行で、回折特性の異なる第１直線縞と第２直線縞の縞対の繰り返しにより埋めつくされてなり、前記第１直線縞は第１直線回折格子によって、また、前記第２直線縞は第２直線回折格子によってそれぞれ構成されており、前記表示面に対して設定された基準線に対して、前記第１直線縞と第２直線縞の傾き角を縞対の傾き角α、前記第１直線回折格子の傾き角を第１直線回折格子の傾き角β１  、前記第２直線回折格子の傾き角を第２直線回折格子の傾き角β２  とするとき、前記複数のパターン領域の中の少なくとも１つの隠しパターンを構成するパターン領域の縞対の傾き角αは、それ以外のパターン領域の縞対の傾き角αとは異なるように設定されており、かつ、隠しパターンを構成するパターン領域の第１直線回折格子の傾き角β１  と第２直線回折格子の傾き角β２  とは、そのパターン領域に隣接する隠しパターンを構成するパターン領域以外のパターン領域の第１直線回折格子の傾き角β１  と第２直線回折格子の傾き角β２  とにそれぞれ等しく設定されていることを特徴とするものである。
【００１０】
この場合に、隠しパターンを構成するパターン領域が孤立した１つ以上のパターン領域からなり、その隠しパターンを構成するパターン領域の第１直線回折格子の傾き角β１  と第２直線回折格子の傾き角β２  とは、それ以外のパターン領域の第１直線回折格子の傾き角β１  と第２直線回折格子の傾き角β２  とにそれぞれ等しく設定されているものとすることができる。
【００１１】
あるいは、隠しパターンを構成するパターン領域が相互に隣接する複数のパターン領域を含み、前記隠しパターンを構成する相互に隣接する複数のパターン領域の縞対の傾き角αは同じに設定されていて、前記隠しパターンを構成する相互に隣接する複数のパターン領域に隣接するそれ以外のパターン領域の縞対の傾き角αとは異なるように設定されており、かつ、前記隠しパターンを構成する相互に隣接する複数のパターン領域のそれぞれのパターン領域の第１直線回折格子の傾き角β１  と第２直線回折格子の傾き角β２  とは、そのパターン領域に隣接する前記隠しパターンを構成する相互に隣接する複数のパターン領域以外のパターン領域の第１直線回折格子の傾き角β１  と第２直線回折格子の傾き角β２  とにそれぞれ等しく設定されているものとすることができる。
【００１２】
また、相互に隣接して並列配置された複数のパターン領域各々における前記第１直線回折格子と前記第２直線回折格子とは、傾き角が異なるか格子ピッチが異なるかの少なくとも一方を満たすように設定されていることが望ましい。
【００１３】
また、相互に隣接して並列配置された複数のパターン領域各々における前記縞対の繰り返しピッチをｄとするとき、ｄ≦１／５ｍｍに設定されていることが望ましい。
【００１４】
また、隠しパターンを構成するパターン領域の前記縞対の傾き角αとそれ以外のパターン領域の縞対の傾き角αとの差が９０°±１０°の範囲内に設定されていることが望ましい。
【００１５】
また、前記少なくとも１つの隠しパターンを構成するパターン領域は、そのパターン領域を構成する前記縞対の周期に対して半周期ずれた周期の縞対で縁取りされていることが望ましい。
【００１６】
また、前記第１直線回折格子と前記第２直線回折格子とは、反射型回折格子からなることが望ましい。
【００１７】
また、本発明の光回折構造による隠しパターンを内包する表示体は、転写箔形態、ラベル形態、あるいは、フィルム形態に構成することができる。
【００１８】
本発明は、以上の何れかの光回折構造による隠しパターンを内包する表示体のための判別具であって、平行な直線透明部と直線不透明部との繰り返しパターンであって、前記表示体の前記複数のパターン領域の中の少なくとも１つの隠しパターンを構成するパターン領域の縞対と同じ傾き角と同じ繰り返しピッチを有するパターンを有する判別具を含むものである。
【００１９】
この場合に、前記直線透明部の幅が前記直線不透明部の幅より小さく設定されていることが望ましい。
【００２０】
本発明においては、光回折構造を含む表示体の表示面を、相互に隣接していて平行で、回折特性の異なる第１直線縞と第２直線縞の縞対と、それら直線縞を構成する直線回折格子との二重構造で構成し、隠しパターンを構成する領域とそれ以外の領域では直線回折格子の構成は同じで、縞対の構成を異なるものとすることにより、目視状態では直線回折格子の領域毎の構成の違いによって通常の表示パターンが観察でき、隠しパターンは判別困難であるが、上記の縞対とモアレ現象を生じる判別具を重ね合わせることで、今度は通常の表示パターンではなく隠しパターンが判別可能となる。そのため、目視による判別が極めて困難な隠しパターンを含み、偽造防止効果が大きく、デザイン性の高い表示体を得ることができる。
【００２１】
【発明の実施の形態】
以下、図面を参照して本発明の光回折構造による隠しパターン及びそのための判別具について説明する。
【００２２】
図１は、本発明の１実施例として、本発明による隠しパターンを有する光回折構造を転写した印刷物の一例について説明するための図である。偽造、又は、コピーを牽制するために隠しパターンを内包する表示体１が印刷物１０の所定の位置に形成されている。この場合の表示体１は、凹凸が形成された極めて薄い樹脂が熱によって所定の大きさに溶断されて熱再活性型の接着剤によってラベルとして紙等の印刷物１０上に形成されている。
【００２３】
あるいは、ベースフィルムの上に光回折構造を形成した状態で所定の大きさに打ち抜かれ、ベースフィルムと一緒に粘着材又は接着剤によって印刷物１０上に形成される。
【００２４】
このような表示体１が形成された印刷物は、偽造又は複写されては困るものが多く、例えば、紙幣、商品券、入場券、ギフト券、手形、小切手等がその対象になる。また、印刷自体にも特殊な技術を持ち合わせていないと複製できない手法が盛り込まれており、偽造、複写による悪用に対して二重にプロテクトされている。
【００２５】
表示面１は、隠しパターンを含む部分表示面２とその他の部分表示面３とからなっており、部分表示面２と部分表示面３は共に光回折構造による表示面であっても、隠しパターンを含む部分表示面２のみが光回折構造による表示面であって、その他の部分表示面３は印刷等光回折構造によらない表示面であってもよい。もちろん、表示面３が光回折構造による隠しパターンを含む部分表示面２のみからなっていてもよい。
【００２６】
ここで、本発明において、部分表示面２中の均一な特性及び構成を有する表示単位領域の基本構成について、図２を参照にして説明する。このような表示単位領域が並列集合して部分表示面２を構成している。
【００２７】
図２において、表示単位領域５は表示パターンに応じた任意の外形及び内形パターン領域を構成しており、そのパターン領域は、相互に隣接していて平行で、回折特性の異なる第１直線縞６１  と第２直線縞６２  の縞対６の繰り返しにより埋めつくされてなり、第１直線縞６１  は第１直線回折格子７１  によって構成され、第２直線縞６２  は第２直線回折格子７２  によって構成されている。そして、第１直線縞６１  、第２直線縞６２  の基準線Ｓに対する傾き角をα、第１直線回折格子７１  の基準線Ｓに対する傾き角をβ１  、第２直線回折格子７２  の基準線Ｓに対する傾き角をβ２  とする。ここで、基準線Ｓとしては、例えば表示面２の表示パターンに対し水平と認識される方向、例えば表示面２の長辺方向に平行な直線が用いられる。なお、回折格子７１  、７２  の傾き角は、格子線の基準線Ｓに対する角度である。
【００２８】
ここで、縞対６の繰り返しピッチをｄとするとき、ｄ≦１／５ｍｍに設定され、第１直線回折格子７１  と第２直線回折格子７２  とは、傾き角が異なる（β１  ≠β２  ）か、その回折格子の格子ピッチが異なるかの少なくとも一方を満たすように選ばれている。なお、第１直線回折格子７１  、第２直線回折格子７２  の格子ピッチは、当然ながら縞対６の繰り返しピッチｄに比較して十分に小さく設定される。通常、回折格子７１  、７２  の格子ピッチとしては、０．５μｍ〜２μｍの範囲のものが用いられる。また、第１直線回折格子７１  と第２直線回折格子７２  との傾き角の差｜β１  −β２  ｜は、限定的ではないが、３０°〜９０°の範囲に設定するのが望ましい。
【００２９】
以上のように、本発明の光回折構造による隠しパターンを含む部分表示面２を並列集合して構成する表示単位領域５は、直線回折格子７１  、７２  と、それらの直線回折格子によって構成される第１直線縞６１  、第２直線縞６２  の縞対６との二重構造を持つものであり、その二重構造に特徴があるものである。
【００３０】
なお、以後の説明において、第１直線縞６１  、第２直線縞６２  、第１直線回折格子７１  、第２直線回折格子７２  は、特に必要のないとき、何れも直線の用語を省いて、第１縞６１  、第２縞６２  、第１回折格子７１  、第２回折格子７２  と呼ぶ。
【００３１】
図３は、本発明による第１形態の光回折構造による隠しパターンを含む部分表示面２の拡大図であり、図中に、各領域の第１縞６１  と第２縞６２  を構成する第１回折格子７１  と第２回折格子７２  の傾き角も引き出して横に示してある。
【００３２】
この表示面２においては、表示パターンとしては、中央部の文字“Ｈ”の領域１１２  と、その背景の中央部の文字“Ｈ”の部分を除いた領域１１１  とからなる。ここで、文字“Ｈ”が隠しパターンとして構成されるものである。
【００３３】
ここで、領域１１１  を構成する第１縞６１  、第２縞６２  （縞対６）の傾き角αは、例えば４５°に選択され、領域１１２  を構成する第１縞６１  、第２縞６２  （縞対６）の傾き角αは、例えば１３５°に選択される。なお、縞対６の繰り返しピッチｄにいては、領域１１１  、領域１１２  共同じ設定される。
【００３４】
しかし、重要な点であるが、領域１１１  、領域１１２  何れにおいても、第１縞６１  を構成する第１回折格子７１  （図２）の傾き角β１  は、図３で横に引き出して示してあるように、例えば０°に選択され、第２縞６２  を構成する第２回折格子７２  の傾き角β２  は、例えば４５°に選択される。
【００３５】
すなわち、この形態の表示面２においては、縞対６の幅程度以上の微小部分においては、表示面２の何れの領域においても、傾き角β１  ＝０°の第１回折格子７１  と、傾き角β２  ＝４５°の第２回折格子７２  とが同じ割合で含むものであり、領域１１１  と領域１１２  では、縞対６の傾き角αが異なるものの、縞対６の繰り返しピッチｄはｄ≦１／５ｍｍを満たすように設定されるので、通常の目視状態では相互に判別できない。したがって、後記する判別具を用いない通常の目視状態では、表示面２全体は均一な明るさの何ら表示パターンのない状態に観察され、隠し文字“Ｈ”は判別不可能である。
【００３６】
ここで、図４に平面図を示すような、平行な直線透明部９１  と直線不透明部９２  との繰り返しパターンであって、その繰り返しピッチが表示面２の縞対６の繰り返しピッチと同じｄを有し、直線透明部９１  、直線透明部９２  の基準線Ｓに対する傾き角が、隠しパターンの領域１１２  の縞対６の傾き角と同じ１３５°の判別具８を、図３の部分表示面２に近接あるいは密着して重ね合わせると、領域１１２  ではモアレ現象により、第１縞６１  又は第２縞６２  の何れか一方が直線透明部９１  に略対応し、他方が直線不透明部９２  に略対応することになる結果、略一方の回折格子７１  又は７２  による回折光がその回折格子の回折方向に回折される。これに対して、領域１１１  では縞対６の傾き角（４５°）が大きく異なるので、何らモアレ現象が起きず、領域１１２  で直線不透明部９２  で隠されなかった回折格子と同じ傾き角の回折格子７１  又は７２  が直線透明部９１  を介して略半分の密度で露出され、略半分の回折強度で同じ方向に回折光を回折する。その結果、図５に示すように、領域１１２  が相対的により明るく、領域１１１  が相対的により暗く観察され、この例では隠し文字“Ｈ”が判別可能となる。
【００３７】
次に、図６に、本発明による第２形態の光回折構造による隠しパターンを含む部分表示面２の拡大図を示す。図６中に、各領域の第１縞６１  と第２縞６２  を構成する第１回折格子７１  と第２回折格子７２  の傾き角も引き出して横に示してある。
【００３８】
この表示面２においては、表示パターンとしては、中央部の上下に２分割された円パターン（上半円パターン、下半円パターン）と、その背景の長方形から中央部円領域を除いたパターンと、それらに重畳している文字“Ａ”とからなる。ここで、文字“Ａ”が隠しパターンとして構成されるものである。
【００３９】
そして、この表示面２において、並列配置される領域は次のようになる。
○長方形から中央部円領域を除いたパターン（Ｘ）：
領域２１１１：長方形から中央部円領域と文字“Ａ”の頭頂と２本の足先端とを除いた領域
領域２１１２：文字“Ａ”の頭頂で中央部円領域から外に出た領域
領域２１１３、２１１４：文字“Ａ”の２本の足先端で中央部円領域から外に出た領域
○中央部の下半円パターン（Ｙ）：
領域２１２１、２１２３、２１２４、２１２５：中央部の下半円パターン領域の文字“Ａ”と重ならない領域
領域２１２２：中央部の下半円パターン領域中の文字“Ａ”の領域
○中央部の上半円パターン領域（Ｚ）：
領域２１３１、２１３３、２１３４：中央部の上半円パターン領域の文字“Ａ”と重ならない領域
領域２１３２：中央部の上半円パターン領域中の文字“Ａ”の領域
である。
【００４０】
すなわち、上記Ｘ、Ｙ、Ｚの３つのパターンが並列して、表示面２を構成し、Ｘのパターンは領域２１１１、２１１２、２１１３、２１１４の４つの領域が並列して構成され、Ｙのパターンは領域２１２１、２１２２、２１２３、２１２４、２１２５の５つの領域が並列して構成され、Ｚのパターンは領域２１３１、２１３２、２１３３、２１３４の４つの領域が並列して構成されている。
【００４１】
一方、隠しパターンの文字“Ａ”（文字パターンＡ）は、上記の領域２１１１〜２１３４の中の領域２１１２、２１１３、２１１４、２１２２、２１３２が並列して構成されている。これら領域中の、領域２１１２、２１１３、２１１４はＸのパターンの領域を兼ね、領域２１２２はＹのパターンの領域を兼ね、領域２１３２はＺのパターンの領域を兼ねている。
【００４２】
そして、文字パターンＡを構成する領域２１１２、２１１３、２１１４、２１２２、２１３２には、第１縞６１  、第２縞６２  （縞対６）の傾き角αとして、例えば４５°に選択され、それ以外の領域２１１１、２１２１、２１２３、２１２４、２１２５、２１３１、２１３３、２１３４には、第１縞６１  、第２縞６２  （縞対６）の傾き角αとして、例えば１３５°に選択される。なお、縞対６の繰り返しピッチｄにいては、全ての領域で同じ設定される。
【００４３】
回折格子７１  、７２  の傾き角β１  、β２  （図２）については、図６で横に引き出して示してあるように、例えばＸのパターンの領域２１１１、２１１２、２１１３、２１１４では、０°と４５°、Ｙのパターンの領域２１２１、２１２２、２１２３、２１２４、２１２５では、９０°と１３５°、Ｚのパターンの領域２１３１、２１３２、２１３３、２１３４では、２２．５°と６７．５°にそれぞれ選択される。
【００４４】
上記の各領域に対応する縞対６の傾き角αと回折格子７１  、７２  の傾き角β１  、β２  を表にすると、次の（表）のようになる。
【００４５】
2004212927.tif 000003
【００４６】
この表から明らかなように、この形態の表示面２においては、Ｘのパターンの領域２１１１、２１１２、２１１３、２１１４では、何れの縞対６の幅程度以上の微小部分において、第１回折格子７１  （β１  ＝０°）と第２回折格子７２  （β１  ＝４５°）とが同じ割合で含むものであり、通常の目視状態では同じ明るさで同じ色の一様領域に見える。同様に、Ｙのパターンの領域２１２１、２１２２、２１２３、２１２４、２１２５でも、第１回折格子７１  （β１  ＝９０°）と第２回折格子７２  （β１  ＝１３５°）とが同じ割合で含むものであり、Ｘのパターンの領域とは異なるが、同じ明るさで同じ色の一様領域に見える。同様に、Ｚのパターンの領域２１３１、２１３２、２１３３、２１３４でも、第１回折格子７１  （β１  ＝２２．５°）と第２回折格子７２  （β１  ＝６７．５°）とが同じ割合で含むものであり、Ｘのパターンの領域、Ｙのパターンの領域とは異なるが、同じ明るさで同じ色の一様領域に見える。
【００４７】
これに対して、文字パターンＡを構成する領域２１１２、２１１３、２１１４それぞれは、縞対６の傾き角αが隣接する領域２１１１、とは異なり、領域２１２２は、縞対６の傾き角αが隣接する領域２１２１、２１２３、２１２４とは異なり、領域２１３２は、縞対６の傾き角αが隣接する領域２１３１、２１３３、２１３４とは異なるものの、縞対６の繰り返しピッチｄはｄ≦１／５ｍｍを満たすように設定されるので、判別具を用いない通常の目視状態では、図８（ａ）に示すように、中央部の上下に２分割された円パターン（上半円パターンＺと下半円パターンＹの組み合わせ）が背景の長方形から中央部円領域を除いたパターンＸ中に存在する表示パターンのみが観察され、隠し文字“Ａ”は判別不可能である。
【００４８】
そして、図７に平面図を示すような、平行な直線透明部９１  と直線不透明部９２  との繰り返しパターンであって、その繰り返しピッチが表示面２の縞対６の繰り返しピッチと同じｄを有し、直線透明部９１  、直線透明部９２  の基準線Ｓに対する傾き角が、隠し文字パターンＡを構成する領域２１１２、２１１３、２１１４、２１２２、２１３２の縞対６の傾き角と同じ４５°の判別具８を、図６の部分表示面２に近接あるいは密着して重ね合わせると、領域２１１２、２１１３、２１１４、２１２２、２１３２ではモアレ現象により、第１縞６１  又は第２縞６２  の何れか一方が直線透明部９１  に略対応し、他方が直線不透明部９２  に略対応することになる結果、略一方の回折格子７１  又は７２  による回折光がその回折格子の回折方向に回折される。これに対して、それ以外の領域２１１１、２１２１、２１２３、２１２４、２１２５、２１３１、２１３３、２１３４では、直線透明部９１  、直線透明部９２  の基傾き角がそれらの領域での縞対６の傾き角（１３５°）と大きく異なるので、何らモアレ現象が起きず、図３の場合と同様に、それぞれの領域では、領域２１１２、２１１３、２１１４、２１２２、２１３２からの回折光の略半分の強度で回折光を回折することになる。その結果、図８（ｂ）に示すように、領域２１１２、２１１３、２１１４、２１２２、２１３２がそれ以外の領域に比較して相対的により明るく観察され、この例では隠し文字“Ａ”が判別可能となる。
【００４９】
なお、この場合、文字パターンＡを構成する領域２１１２、２１１３、２１１４と領域２１２２と領域２１３２間では、照明光源の位置により、若干明るさや色が相互に異なって見えるが、通常の目視環境では多くの光源や面光源が存在するので、この文字パターンＡ内での明るさや色の違いは、隠し文字“Ａ”を判別するのに邪魔となるものではない。
【００５０】
ところで、判別具を用いない通常の目視状態で判別可能なパターン（図６のＸ、Ｙ、Ｚのパターン）、隠しパターン（図３の文字“Ｈ”、図６の文字“Ａ”）共に、それぞれのパターンＰの周辺に、図９に示すように、そのパターンＰを構成する縞対６の周期に対して半周期ずれた周期の縞対で縁取りＰ’を形成することもできる。このような縁取りＰ’を施すことによって、判別困難な隠しパターンを判別具８を用いて判別する際に、判別しやすくし、判別可能なパターンに対してもその境界をより鮮明化する効果がある。
【００５１】
以上の説明では、隠しパターンの領域の縞対６の傾き角と、それ以外の領域６の縞対の傾き角との差は、９０°（直交）になるように設定していたが、隠し効果が変らない許容角度を含めた場合、９０°±１０°の範囲内に設定すればよい。
【００５２】
また、縞対６を構成する第１回折格子７１  と第２回折格子７２  は、傾き角が異なる（β１  ≠β２  ）か、その回折格子の格子ピッチが異なるかの少なくとも一方を満たすように選ぶものとしたが、その傾き角と格子ピッチの２つの要素を共に異ならせて構成することにより、隠しパターンの効果をより高めることができる。
【００５３】
また、以上において、判別具８は、平行な直線透明部９１  と直線不透明部９２  との繰り返しパターンであって、その繰り返しピッチが表示面２の縞対６の繰り返しピッチと同じｄを有し、直線透明部９１  、直線透明部９２  の基準線Ｓに対する傾き角が、隠しパターンの領域の縞対６の傾き角と同じであればよいと説明したが、このような判別具８は、印刷物１０に対して決められた角度で近づけると、隠しパターンがモアレ現象により、判別具８を介して表示される。判別具８を介して表示された隠しパターンが所定のパターンであった場合に、その印刷物は正しい供給者から供給された正当な製品（真正品）であると判定される。
【００５４】
判別具８は、判別具８を透過して印刷物の隠しパターンに照射された光を観察者が目視できなければならないために、透明なベース基材に判別パターンが形成されているものを用いる。ベース基材は透明度が高い方が好ましい。また、判別具８は、頻繁に使用されるために、ベース基材を強固な枠材で固定したものが多く使用される。この枠材には取っ手等を付けることも可能で、そのことによって判別具８の透明なベース基材が指紋や油で汚れることを防止する。
【００５５】
隠しパターンの判別に際し、判別具８を、表示体１が形成された印刷物１０に密着させる程度に近づけて判別する。その密着の状態から一定の距離までは隠しパターンの判別が可能であるが、モアレ現象を利用しているために、表示体１と判別具８の距離が空きすぎると、判別が困難になる。
【００５６】
図１０を参照して、判別具８に付与する判別パターンの各種の他の形態について説明する。
【００５７】
透明基材の表面に形成された図１０（ａ）、（ｂ）、（ｃ），（ｄ）の判別パターンを表示体１の隠しパターンの表面に接近させ、隠しパターンによる判別画像を発生させる。
【００５８】
図１０（ａ）の場合は、水平線（基準線）に対して、直線透明部９１  と直線着色部９２  ’の傾き角が４５°の万線による判別パターンである。万線は、直線透明部９１  と着色された直線部９２  ’が対となった繰り返しパターンであり、透明な直線部９１  の幅と、着色された直線部９２  ’の幅は、同一でも、異なっていてもよい。ただし、その繰り返しピッチは表示面２の縞対６（特に、隠しパターンの縞対６）の繰り返しピッチと同じにする。
【００５９】
図１０（ｂ）は、水平線（基準線）に対して、直線透明部９１  と直線着色部９２  ’の傾き角が１３５°の万線による判別パターンである。その他は、図１０（ａ）の場合と同様。
【００６０】
図１０（ｃ）、水平線（基準線）に対して、格子１９の角度が４５°の回折格子を用いた判別パターンである。モアレ現象をある程度生起させるには、判別具８の判別パターンとして、方向性のあるものを用いればよい。この場合は、回折格子をそのような方向性のあるものとして用いてモアレ現象を起こさせる。
【００６１】
図１０（ｄ）、水平線（基準線）に対して、網点２９の整列方向の角度が１３５°の網点を用いた判別パターンである。この場合も、方向性のある網点を判別パターンに用いている。網点２９は、透明な部分と着色された部分が独立した点、又は、２箇所が鎖状に繋がった点で構成されており、透明な部分を繋ぐ（鎖状の）線と、着色された部分を繋ぐ（鎖状の）線が対になって形成されている。この対になった部分が１３５°の角度に形成されている。
【００６２】
ところで、判別具８として、図４や図７のように、平行な直線透明部９１  と直線不透明部９２  との繰り返しパターンからなる判別パターンを用いる場合に、図１１にその繰り返しパターンの一部を拡大して示すように、直線透明部９１  の幅をａ、直線不透明部９２  の幅をｂとするとき、ａ／ｂ≒１、すなわち、直線透明部９１  と直線不透明部９２  を略同じ幅としてもよいが、ａ／ｂは２／３〜１／４の範囲、すなわち、直線透明部９１  の幅を直線不透明部９２  の幅より小さく設定することが望ましい。その理由は、２／３≧ａ／ｂ≧１／４の範囲においては、判別具８を表示面２に近接あるいは密着して重ね合わせると、隠しパターン“Ｈ”、“Ａ”がコントラスト良く観察される。これに対して、ａ／ｂが２／３を越えると、判別具８を通して見える光量が多すぎて明るくなりすぎてコントラストが低下し、隠しパターンが見え難くなり、逆に、ａ／ｂが１／４を下回ると、その光量が少なすぎて暗くなって隠しパターンが見え難くなるためにである。
【００６３】
ところで、以上の説明において、表示体１の表示面２の光回折構造を構成する回折格子７１  、７２  については、詳しく説明しなかった。通常、印刷物等に貼着して用いる表示面２に用いる回折格子としては、凹凸のレリーフ構造の回折格子のレリーフ面あるいは平面に蒸着等で金属反射膜を設けて反射型とした回折格子が用いられるが、それ以外に、振幅が周期的に変化する振幅型回折格子を構成するもの又は屈折率が周期的に変化して位相型回折格子を構成するものの裏面に金属反射膜を設けて反射型とした回折格子、体積型感光材料中に干渉縞で回折格子を構成した体積型回折格子等を用いてもよい。
【００６４】
もちろん、表示面２を反射型でなく透過型のもので構成し、回折格子も透過型の回折格子で構成してもよい。
【００６５】
さて、本発明による以上のような隠しパターンを含む部分表示面２を有する表示体１（又は、表示面２のみ）は、転写箔、ラベル、フィルム等種々の形態に構成することができる。転写箔形態の場合には、例えば商品券、クレジットカード、パッケージ等に適用でき、ラベル形態の場合には、例えばソフトウエア、カートリッジ、医薬品等のパッケージ等に適用でき、フィルム形態の場合には、例えばそのフィルムを１〜２ｍｍ程度の幅にマイクロスリットし、用紙の抄造時に紙中に共に抄き込んで偽造防止を図ることができる。また、ラベル形態の場合には、脆質層を層構成中に介在させて、偽造のためにラベルを剥離しようとしたときにその脆質層から剥がれるようにして偽造のために表示体を剥がすことを困難にすることができる（脆質ラベル）。以下、本発明の光回折構造による隠しパターンを内包する表示体を、転写箔、ラベル、脆質ラベル、フィルムの各形態に構成する場合の、層構成とその作製工程の例を説明する。
【００６６】
図１２は、本発明の光回折構造による隠しパターンを内包する表示体を転写箔３１として構成する場合の層構成を示す断面図であり、その作製方法に従ってその構成を説明すると、ＰＥＴ等の透明樹脂フィルムからなる基材４４上に剥離層４５を塗布し、その剥離層４５上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側にヒートシール層４６を塗布して、図１２のような層構成の転写箔３１を完成する。
【００６７】
ここで、基材４４を構成する樹脂フィルムとしては、ポリプロピレン樹脂フィルム、ポリカーボネート樹脂フィルム、若しくは、ポリエチレンテレフタレート樹脂フィルム等が好ましく、中でも、これらに加え、機械的強度の優れた２軸延伸ポリエチレンテレフタレート樹脂フィルムが適している。
【００６８】
また、剥離層４５を構成する樹脂は、基材４４の素材や、剥離層４５と接着する回折格子形成層４１の材質にもよるが、ポリエステル樹脂、アクリル骨格樹脂、塩化ビニル−酢酸ビニル共重合樹脂、酢酸セルロースと熱硬化型アクリル樹脂との２成分のブレンド樹脂、メラミン樹脂、若しくは、ニトロセルロース樹脂を使用することができる。例えば、基材４４がポリエチレンテレフタレート樹脂（ＰＥＴ）フィルムであるときは、剥離層４５と基材４４との密着力の点で、ポリエステル樹脂が好ましい。これらの樹脂には、さらにポリエチレンワックス等のワックス、若しくは、シリコーン樹脂を添加して剥離性を向上させてもよい。剥離層４５は、上記の樹脂を適宜な溶剤若しくは分散剤を用いて溶解若しくは分散させて、塗布若しくは印刷に適した組成物を調製したものを、公知の塗布方法若しくは印刷方法により、基材４４に積層形成することができる。
【００６９】
また、回折格子形成層４１を構成する合成樹脂としては、ポリ塩化ビニル、アクリル樹脂（例、ＰＭＭＡ）、ポリスチレン、ポリカーボネート等の熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂をそれぞれ単独、あるいは、上記熱可塑性樹脂と熱硬化性樹脂とを混合して使用することができ、さらには、ラジカル重合性不飽和基を有する熱成形性物質、あるいは、これらにラジカル重合性不飽和単量体を加え電離放射線硬化性としたもの等を使用することができる。この他、銀塩、重クロム酸ゼラチン、サーモプラスチック、ジアゾ系感光材料、フォトレジスト、強誘電体、フォトクロミックス材料、サーモクロミックス材料、カルコゲンガラスなどの感光材料なども使用できる。
【００７０】
上記の合成樹脂からなる層への凹凸レリーフ構造の回折格子の形成は、上記の材料を用いて、従来既知の方法によって形成することができる。例えば、回折格子が凹凸の形で記録された原版をプレス型として用い、上記樹脂層上にその原版を重ねて加熱ロール等の適宜手段により、両者を加熱圧着することにより、原版の凹凸模様を複製することができる。あるいは、紫外線硬化性とした樹脂層上にその原版を重ねて、紫外線を照射してその樹脂層を硬化させて原版の凹凸模様を複製することができる。
【００７１】
反射層４２を構成する材質としては、Ｍｇ、Ａｌ、Ｔｉ、Ｃｒ、Ｃｕ、Ｚｎ、Ｇａ、Ｇｅ、Ｓｅ、Ｒｂ、Ｐｄ、Ａｇ、Ｃｄ、Ｉｎ、Ｓｎ、Ｓｂ、Ｔｅ、Ａｕ、Ｐｂ、若しくは、Ｂｉ等の金属、又は、それらの酸化物、若しくは、それらの窒化物を単独で、若しくは、組み合わせ、薄膜として形成する。金属薄膜層を反射層４２として用いるときには、これらの中でも、Ａｌ、Ｃｒ、Ｎｉ、Ａｇ、若しくは、Ａｕ等が特に好ましい。
【００７２】
反射層４２を形成するには、真空蒸着法、スパッタリング法、若しくは、イオンプレーティング法等の公知の薄膜形成法によって行う。
【００７３】
ヒートシール層４６を構成する材質としては、例えば、エチレン−酢酸ビニル共重合体樹脂、ポリアミド樹脂、ポリエステル樹脂、ポリエチレン樹脂、エチレン−イソブチルアクリレート共重合体樹脂、ブチラール樹脂、ポリ酢酸ビニル及びその共重合体樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、又は、フェノール樹脂が使用できる。あるいは、ＳＢＳ（スチレン−ブタジエン−スチレンブロックコポリマー）、ＳＩＳ（スチレン−イソプレン−スチレンブロックコポリマー）、ＳＥＢＳ（スチレン−エチレン−ブチレン−スチレンブロックコポリマー）等の熱可塑性エラストマー、又は、反応ホットメルト性樹脂等を使用してもよい。
【００７４】
図１３は、本発明の光回折構造による隠しパターンを内包する表示体をラベル３２として構成する場合の層構成を示す断面図であり、その作製方法に従ってその構成を説明すると、ＰＥＴ等の透明樹脂フィルムからなる基材４４上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側に粘着層４７を塗布し、その粘着層４７上にその保護用としてセパレータ（剥離紙）４８をラミネートして、図１２のような層構成のラベル３２を完成する。
【００７５】
ここで、基材４４、回折格子形成層４１、反射層４２を構成する材質としては、図１２の場合と同様である。
【００７６】
粘着層４７を構成する接着剤としては、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニルコポリマー、エチレン−アクリル酸エチルコポリマー等、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド、ポリアミドイミド、ポリベンツイミダゾール、ポリベンゾチアゾール等、あるいは、ゴム系の天然ゴム、再生ゴム、スチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、ブロックコポリマーゴム（ＳＢＳ，ＳＩＳ，ＳＥＢＳ等）が使用できる。
【００７７】
また、セパレータ（剥離紙）４８としては、従来公知の紙やフィルム基材に剥離処理を施したものが使用できる。
【００７８】
図１４は、本発明の光回折構造による隠しパターンを内包する表示体を脆質ラベル３３として構成する場合の層構成を示す断面図であり、その作製方法に従ってその構成を説明すると、ＰＥＴ等の透明樹脂フィルムからなる基材４４上に脆質層４９を塗布し、その脆質層４９上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側に粘着層４７を塗布し、その粘着層４７上にセパレータ（剥離紙）４８をラミネートして、図１２のような層構成の脆質ラベル３３を完成する。
【００７９】
ここで、基材４４、回折格子形成層４１、反射層４２、粘着層４７、セパレータ（剥離紙）４８を構成する材質としては、図１３の場合と同様である。
【００８０】
脆質層４９を構成する材料としては、図１２の場合の剥離層４５を構成する樹脂と同じ系列のものが用いられる。
【００８１】
図１５は、本発明の光回折構造による隠しパターンを内包する表示体をフィルム３４として構成する場合の層構成を示す断面図であり、その作製方法に従ってその構成を説明すると、ＰＥＴ等の透明樹脂フィルムからなる基材４４上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成して、図１４のような層構成のフィルム３４が完成する。
【００８２】
ここで、基材４４、回折格子形成層４１、反射層４２を構成する材質としては、図１２〜図１４の場合と同様である。
【００８３】
ここで、図１２〜図１５において、回折格子形成層４１に凹凸レリーフ構造の回折格子をエンボスするための回折格子原版の作製方法の例を簡単に説明しておく。そのためには、Ｃｒメッキされたガラス板を用意し、その上に電子線レジストを塗布し、電子線描画により、回折格子パターンを描画し、その後に電子線レジストを現像することにより、断面矩形波状の凹凸レリーフ構造が得られる。
【００８４】
そのような電子線レジストの凹凸レリーフ構造の回折格子パターン上に紫外線硬化性樹脂あるいは熱硬化性樹脂を塗布して紫外線照射あるいは加熱により、その凹凸レリーフ構造を紫外線硬化性樹脂あるいは熱硬化性樹脂に複製することにより、電子線描画の回折格子パターンのネガ版が得られる。そのネガ版から同様に複製してポジ版を得るか、あるいは、このような複製を偶数回繰り返すことにより得られたポジ版を、上記の回折格子形成層４１に凹凸レリーフ構造の回折格子をエンボスするための回折格子原版として用いることができる。
【００８５】
以上、本発明の光回折構造による隠しパターンを内包する表示体及びそのための判別具をいくつかの実施例に基づいて説明してきたが、本発明はこれら実施例に限定されず種々の変形が可能である。
【００８６】
【発明の効果】
以上の説明から明らかなように、本発明の光回折構造による隠しパターンを内包する表示体及びそのための判別具によると、光回折構造を含む表示体の表示面を、相互に隣接していて平行で、回折特性の異なる第１直線縞と第２直線縞の縞対と、それら直線縞を構成する直線回折格子との二重構造で構成し、隠しパターンを構成する領域とそれ以外の領域では直線回折格子の構成は同じで、縞対の構成を異なるものとすることにより、目視状態では直線回折格子の領域毎の構成の違いによって通常の表示パターンが観察でき、隠しパターンは判別困難であるが、上記の縞対とモアレ現象を生じる本発明による判別具を重ね合わせることで、今度は通常の表示パターンではなく隠しパターンが判別可能となる。そのため、目視による判別が極めて困難な隠しパターンを含み、偽造防止効果が大きく、デザイン性の高い表示体を得ることができる。
【図面の簡単な説明】
【図１】本発明による隠しパターンを有する光回折構造を転写した印刷物の一例について説明するための図である。
【図２】本発明において部分表示面中の均一な特性及び構成を有する表示単位領域の基本構成を説明するための図である。
【図３】本発明による第１形態の光回折構造による隠しパターンを含む部分表示面の拡大図である。
【図４】図３の部分表示面の隠しパターンを判別するための判別具の一例の平面図である。
【図５】図３の部分表示面から判別される隠しパターンを示す図である。
【図６】本発明による第２形態の光回折構造による隠しパターンを含む部分表示面の拡大図である。
【図７】図６の部分表示面の隠しパターンを判別するための判別具の一例の平面図である。
【図８】図３の部分表示面の目視状態で観察される表示パターンと、図７の判別具を用いて判別される隠しパターンとを示す図である。
【図９】本発明に基づいて各パターンの周辺に設ける縁取りを説明するための図である。
【図１０】判別具に付与する判別パターンの各種の他の形態について説明するための図である。
【図１１】平行な直線透明部と直線不透明部との繰り返しパターンからなる判別パターンの幅関係を説明するための図である。
【図１２】本発明の光回折構造による隠しパターンを内包する表示体を転写箔として構成する場合の層構成を示す断面図である。
【図１３】本発明の光回折構造による隠しパターンを内包する表示体をラベルとして構成する場合の層構成を示す断面図である。
【図１４】本発明の光回折構造による隠しパターンを内包する表示体を脆質ラベルとして構成する場合の層構成を示す断面図である。
【図１５】本発明の光回折構造による隠しパターンを内包する表示体をフィルムとして構成する場合の層構成を示す断面図である。
【符号の説明】
Ｓ…基準線
Ｘ、Ｙ、Ｚ…パターン
Ｐ…パターン
Ｐ’…縁取り
１…隠しパターンを内包する表示体
２…隠しパターンを含む部分表示面
３…その他の部分表示面
５…表示単位領域
６…縞対
６１  …第１直線縞
６２  …第２直線縞
７１  …第１直線回折格子
７２  …第２直線回折格子
８…判別具
９１  …直線透明部
９２  …直線透明部
９２  ’…直線着色部
１０…印刷物
１１１  、１１２  …領域
１９…格子
２１１１、２１１２、２１１３、２１１４…パターンＸを構成する領域
２１２１、２１２２、２１２３、２１２４、２１２５…パターンＹを構成する領域
２１３１、２１３２、２１３３、２１３４…パターンＺを構成する領域
２９…網点
３１…転写箔
３２…ラベル
３３…脆質ラベル
３４…フィルム
４１…回折格子形成層
４２…反射層
４３…反射型の回折格子
４４…基材
４５…剥離層
４６…ヒートシール層
４７…粘着層
４８…セパレータ（剥離紙）
４９…脆質層
【図１】
2004212927.tif 000004
【図２】
2004212927.tif 000005
【図３】
2004212927.tif 000006
【図４】
2004212927.tif 000007
【図５】
2004212927.tif 000008
【図６】
2004212927.tif 000009
【図７】
2004212927.tif 000010
【図８】
2004212927.tif 000011
【図９】
2004212927.tif 000012
【図１０】
2004212927.tif 000013
【図１１】
2004212927.tif 000014
【図１２】
2004212927.tif 000015
【図１３】
2004212927.tif 000016
【図１４】
2004212927.tif 000017
【図１５】
2004212927.tif 000018